(57)【特許請求の範囲】
【請求項１】
ポスト本体に、郵便物を取り出す取出口と、取出口を塞ぐ開閉蓋と、ポスト本体内部を照らす照明器具とを設けた照明付ポストにおいて、本体部と受圧部を備え照明器具の点灯と消灯を切替え操作する押しボタン式スイッチを、開閉蓋の内面部で受圧部が押圧操作されるようにポスト本体内部に設けると共に、押しボタン式スイッチに、本体部が固定された状態で受圧部が開閉蓋に対し進退自在となる隙間調整手段を設け、この隙間調整手段で内面部と受圧部との隙間を調整するようにしたものであり、本体部が固定された押しボタン式スイッチの突出した受圧部そのものが進退される隙間調整手段であることを特徴とする照明付ポスト。
【請求項２】
隙間調整手段を雌螺子と雄螺子とで構成される螺合した螺子状体で形成し、螺子状体の片側端部に本体部を配し反対側端部に受圧部を配することで螺子状体を介して本体部と受圧部を接続してなり、雌螺子と雄螺子との螺合状態を調整することで螺子状体の全長を調節し、内面部と受圧部との隙間を調整するようにしたことを特徴とする請求項１記載の照明付ポスト。
【請求項３】
照明器具に押しボタン式スイッチの本体部を固設してスイッチ付照明器具を形成したことを特徴とする請求項２記載の照明付ポスト。
【請求項４】
照明器具に発光体と発光体を覆う光拡散レンズを設け、スイッチ付照明器具を端面から受圧部が突出する薄板形状で形成してなり、スイッチ付照明器具を光拡散レンズを表側としてポスト本体内面に着設することで、スイッチ付照明器具によりポスト本体内部が照らされるようにしたことを特徴とする請求項３記載の照明付ポスト。
【発明の詳細な説明】
【０００１】
【発明の属する技術分野】
本発明は、ポスト本体に、郵便物を取り出す取出口と、取出口を塞ぐ開閉蓋と、内部を照らす照明器具とを設けた照明付ポストに関するものである。
【０００２】
【従来の技術】
従来の照明付ポストとしては、ポスト本体の内壁に内部を照らす照明器具を備えてなるものがあった。このものは、郵便物を取出す為の取出口付近に開閉蓋を有しており、開閉蓋の開閉に連動して照明器具の点灯と消灯とが切り替わる。切替えの為に押しボタン式スイッチをその内部に配設し、開閉蓋による押しボタン式スイッチへの押圧状態が変化することで、照明器具の点灯と消灯とが切り替わるようにしていた。
【０００３】
これにより、照明器具の点灯が必要な時、即ち開閉蓋が開状態となった時に照明器具を点灯させることができる。又、照明器具の点灯が必要でない時、即ち開閉蓋が閉状態となった時には照明器具を消灯させることができる。
【０００４】
【発明が解決しようとする課題】
しかしながら、上記従来の技術において、開閉蓋の取付けに製造上のバラツキが生じてしまった場合、或は照明付ポストの種類が異なる為開閉蓋と押しボタン式スイッチとの間の隙間距離が異なってしまう場合などについては、押しボタン式スイッチによる照明器具の点灯と消灯の制御を確実に行えなくなってしまうという問題を抱えていた。
【０００５】
本発明は、上記事由に鑑みてなしたもので、その目的とするところは、開閉蓋と押しボタン式スイッチとの間の隙間を簡単に調整することができる照明付ポストを提供することにある。
【０００６】
【課題を解決するための手段】
上記目的を達成するために、本発明の照明付ポストにあっては、請求項１に記載したように、ポスト本体に、郵便物を取り出す取出口と、取出口を塞ぐ開閉蓋と、ポスト本体内部を照らす照明器具とを設けた照明付ポストにおいて、本体部と受圧部を備え照明器具の点灯と消灯を切替え操作する押しボタン式スイッチを、開閉蓋の内面部で受圧部が押圧操作されるようにポスト本体内部に設けると共に、押しボタン式スイッチに、本体部が固定された状態で受圧部が開閉蓋に対し進退自在となる隙間調整手段を設け、この隙間調整手段で内面部と受圧部との隙間を調整するようにしたものであり、本体部が固定された押しボタン式スイッチの突出した受圧部そのものが進退される隙間調整手段であることを特徴としている。
【０００７】
これにより、開閉蓋の内面部と押しボタン式スイッチの受圧部との間の隙間を簡単に調整することができる。即ち、本体部を固定した状態で受圧部を開閉蓋に対し進退自在に調整することができるので、本体部を固定し押しボタン式スイッチを安定させた状態で、内面部と受圧部との隙間を調整することができる。押しボタン式スイッチは固定により安定しているので狂うことなく調整することができる。
【０００８】
又、本発明の照明付ポストにあっては、請求項２に記載したように、隙間調整手段を雌螺子と雄螺子とで構成される螺合した螺子状体で形成し、螺子状体の片側端部に本体部を配し反対側端部に受圧部を配することで螺子状体を介して本体部と受圧部を接続してなり、雌螺子と雄螺子との螺合状態を調整することで螺子状体の全長を調節し、内面部と受圧部との隙間を調整するようにしても良い。
【０００９】
この場合、螺子を回し、螺子状体の全長を調節することで簡単に内面部と受圧部との隙間を調整することができる。又、螺子状体は簡単に入手できるものなので、隙間調整手段そのものもを簡単につくることができる。又、螺子状体は螺子を回さない限りその全長が変わることがない。本発明のように開閉蓋からの押圧を受ける部材としては適切なものといえる。
【００１０】
又、本発明の照明付ポストにあっては、請求項３に記載したように、照明器具に押しボタン式スイッチの本体部を固設してスイッチ付照明器具を形成しても良い。
【００１１】
この場合、ポスト本体の中にスイッチ付照明器具を配設することで、ポスト本体の中に照明器具と押しボタン式スイッチを簡単に配設することができる。即ち、照明器具と押しボタン式スイッチが一体となっているので、配設の手間を大幅に削減することができる。
【００１２】
又、本発明の照明付ポストにあっては、請求項４に記載したように、照明器具に発光体と発光体を覆う光拡散レンズを設け、スイッチ付照明器具を端面から受圧部が突出する薄板形状で形成してなり、スイッチ付照明器具を光拡散レンズを表側としてポスト本体内面に着設することで、スイッチ付照明器具によりポスト本体内部が照らされるようにしても良い。
【００１３】
この場合、発光体からの光を光拡散レンズの拡散効果によって、ポスト本体内部に効率良く広範囲に照射でき、ポスト本体内部の郵便物の有無をより容易に確認させることができる。光拡散レンズが発光体からの光を拡散させ、ポスト本体内部全体を明るくする。全体が明るくなることでポスト本体内部に届けられた郵便物を見落としてしまうのを未然に防止することができる。
【００１４】
【発明の実施の形態】
［第１の実施の形態］
図１乃至９、及び１７乃至１９は、本発明の請求項１乃至４に対応する一実施の形態の照明付ポストを示す説明図である。
【００１５】
この実施の形態の照明付ポストは、請求項１に記載したように、ポスト本体（１）に、郵便物を取り出す取出口（２）と、取出口（２）を塞ぐ開閉蓋（７）と、ポスト本体（１）内部を照らす照明器具（３）とを設けた照明付ポストにおいて、本体部（４）と受圧部（５）を備え照明器具（３）の点灯と消灯を切替え操作する押しボタン式スイッチ（６）を、開閉蓋（７）の内面部（８）で受圧部（５）が押圧操作されるようにポスト本体（１）内部に設けると共に、押しボタン式スイッチ（６）に、本体部（４）が固定された状態で受圧部（５）が開閉蓋（７）に対し進退自在となる隙間調整手段（９）を設け、この隙間調整手段（９）で内面部（８）と受圧部（５）との隙間を調整するようにしたものであり、本体部（４）が固定された押しボタン式スイッチ（６）の突出した受圧部（５）そのものが進退される隙間調整手段（９）であることを特徴としている。
【００１６】
又、該実施の形態の照明付ポストは、請求項２に記載したように、隙間調整手段（９）を雌螺子（１０ａ）と雄螺子（１０ｂ）とで構成される螺合した螺子状体（１０）で形成し、螺子状体（１０）の片側端部に本体部（４）を配し反対側端部に受圧部（５）を配することで螺子状体（１０）を介して本体部（４）と受圧部（５）を接続してなり、雌螺子（１０ａ）と雄螺子（１０ｂ）との螺合状態を調整することで螺子状体（１０）の全長を調節し、内面部（８）と受圧部（５）との隙間を調整するようにしてもいる。
【００１７】
又、該実施の形態の照明付ポストは、請求項３に記載したように、照明器具（３）に押しボタン式スイッチ（６）の本体部（４）を固設してスイッチ付照明器具（１１）を形成してもいる。
【００１８】
又、該実施の形態の照明付ポストは、請求項４に記載したように、照明器具（３）に発光体（１２）と発光体（１２）を覆う光拡散レンズ（１３）を設け、スイッチ付照明器具（１１）を端面から受圧部（５）が突出する薄板形状で形成してなり、スイッチ付照明器具（１１）を光拡散レンズ（１３）を表側としてポスト本体（１）内面に着設することで、スイッチ付照明器具（１１）によりポスト本体（１）内部が照らされるようにしてもいる。
【００１９】
図１は照明付ポストを示す。このものはポスト本体（１）に、郵便物を取り出す取出口（２）と、取出口（２）を塞ぐ開閉蓋（７）と、ポスト本体（１）内部を照らすスイッチ付照明器具（１１）を設けてなる。
【００２０】
ポスト本体（１）は、側面形状を上部が下部よりも横長となる逆Ｌ型をした箱型のもので、前面部（１４）を逆Ｌ型の一辺の外側で形成し、後部（１５）を逆Ｌ型の他辺の端部で形成する。前面部（１４）には前面部（１４）略全体が開口となる取出口（２）が設けられ、後部（１５）には郵便物を受け入れる受取口が設けられる。
【００２１】
取出口（２）は横長の長方形をしており、下縁中程には開閉蓋（７）固定用のマグネット（１６）が配設されている。
【００２２】
開閉蓋（７）は取出口（２）と略同寸の板材からなる。このものは上部両端にヒンジを備えており、取出口（２）上側の両端縁に設けたヒンジ受けに嵌合して回動自在に開閉作動する。又、表面下側にはコ字形の取手（１７）が配設される。このものは、コ字形の外側両辺を脚として開閉蓋（７）表面に配設される。
【００２３】
スイッチ付照明器具（１１）はポスト本体（１）の内側壁に着設される。このものは、図２、３に示すように、照明器具（３）と押しボタン式スイッチ（６）とからなる。押しボタン式スイッチ（６）は開閉蓋（７）の内面部（８）に押圧される受圧部（５）と、受圧部（５）と開閉蓋（７）内面部（８）との隙間を調整する隙間調整手段（９）と、照明器具（３）に固設される本体部（４）とからなる。又、このものは、後面部を曲面で構成した薄板形状とし、前面部には受圧部（５）と隙間調整手段（９）とが突出して配設される。本体部（４）は本実施の形態の場合、照明器具（３）の内部で固設されている。
【００２４】
隙間調整手段（９）は図１８、１９に詳しく示している。このものは、図１８、１９に示すように、本体部（４）に固定される雄螺子（１０ｂ）と雄螺子（１０ｂ）と螺合する雌螺子（１０ａ）とで形成される。雌螺子（１０ｂ）はカッターナイフ等で任意の長さに容易に切断できるように、やわらかい樹脂で製造される。
【００２５】
又、図２に示すように、ポスト本体（１）の内側壁に着設される面には、マグネット（１８）又はマジックテープ（１８’）が設けられている。マグネット（１８）にした場合にはポスト本体（１）は金属製となり、マジックテープ（１８’）にした場合にはポスト本体（１）側にマジックテープ（１８’）を受ける受材を配設する。又、この面には後段で説明する発光体（１２）が光る為の電源となる乾電池を出し入れする為の乾電池収納部蓋（１９）が設けられてもいる。
【００２６】
又、図３に示すように、曲面で構成した後面部には発光体（１２）を覆う光拡散レンズ（１３）が設けられている。この光拡散レンズ（１３）の内側にはＬＥＤ等の発光体（１２）が設けられている。尚、本実施の形態の場合、ＬＥＤを縦に４個並べると共に、光拡散レンズ（１３）として透明アクリル樹脂を用いてなる。
【００２７】
又、スイッチ付照明器具（１１）はＡＢＳ等の樹脂でその外殻が形成される。
【００２８】
図４は、取出口（２）から見たスイッチ付照明器具（１１）の取付け位置を示す正面図である。この図に示すように、このものは、ポスト本体（１）内側壁の中程に受圧部（５）が突出している前面部を開口側に向けて配設される。
【００２９】
図５は、スイッチ付照明器具（１１）がポスト本体（１）内部を照らす際の状態を示す平面図である。この図にあるように、このものは発光体（１２）を覆う光拡散レンズ（１３）を後面部に設けているので自ずと光はポスト本体（１）の後側を照らすようになる。郵便物はポスト本体（１）の後部（１５）に設けた受取口から差し込まれるので、郵便物は後寄りにたまる可能性が高い。後寄りにたまる郵便物に対して後側を照らす発光体（１２）を設けることで効率良く郵便物を照らすことができる。
【００３０】
図６乃至９は発光体（１２）と光拡散レンズ（１３）を示す各種の例を示す。図６においては、光拡散レンズ（１３）として上下拡散レンズを用いてなる。図７においては、光拡散レンズ（１３）として左右拡散レンズを用いてなる。この場合、光拡散レンズ（１３）の全体の横断面形状が凸型の弧を描いてなる。図８、９においては、外方に凸な半球レンズ（２０）を縦横に配して乱拡散レンズを形成し、光拡散レンズ（１３）としてこの乱拡散レンズを用いてなる。この場合も、前出の左右拡散レンズと同様に全体の横断面形状が凸型の弧を描くようにしている。このようにすることで図９に示すように発光体（１２）からの光を乱拡散させることができる。以上、図６から９にかけて説明した各種の光拡散レンズ（１３）は、ポスト本体（１）の大きさや照明器具（３）の取付け高さ位置に応じて適切なものを選択し設定する。
【００３１】
したがって、以上説明した照明付ポストによると、開閉蓋（７）の内面部（８）と押しボタン式スイッチ（６）の受圧部（５）との間の隙間を簡単に調整することができる。即ち、本体部（４）を固定した状態で受圧部（５）を開閉蓋（７）に対し進退自在に調整することができるので、本体部（４）を固定し押しボタン式スイッチ（６）を安定させた状態で、内面部（８）と受圧部（５）との隙間を調整することができる。押しボタン式スイッチ（６）は固定により安定しているので狂うことなく調整することができる。
【００３２】
又、螺子を回し、螺子状体（１０）の全長を調節することで簡単に内面部（８）と受圧部（５）との隙間を調整することができる。又、螺子状体（１０）は簡単に入手できるものなので、隙間調整手段（９）そのものもを簡単につくることができる。又、螺子状体（１０）は螺子を回さない限りその全長が変わることがない。本発明のように開閉蓋（７）からの押圧を受ける部材としては適切なものといえる。
【００３３】
又、ポスト本体（１）の中にスイッチ付照明器具（１１）を配設することで、ポスト本体（１）の中に照明器具（３）と押しボタン式スイッチ（６）を簡単に配設することができる。即ち、照明器具（３）と押しボタン式スイッチ（６）が一体となっているので、配設の手間を大幅に削減することができる。
【００３４】
又、発光体（１２）からの光を光拡散レンズ（１３）の拡散効果によって、ポスト本体（１）内部に効率良く広範囲に照射でき、ポスト本体（１）内部の郵便物の有無をより容易に確認させることができる。光拡散レンズ（１３）が発光体（１２）からの光を拡散させ、ポスト本体（１）内部全体を明るくする。全体が明るくなることでポスト本体（１）内部に届けられた郵便物を見落としてしまうのを未然に防止することができる。
［第２の実施の形態］
図１０乃至２０は、本発明の請求項１又は２に対応する第２の実施の形態の照明付ポストを示す説明図である。
【００３５】
このものは、請求項１又は２で記載した内容と、課題を解決する為の手段で記載した請求項１又は２に対応する効果の他に、以下の内容を実施してなる。
【００３６】
図１０は、照明付ポストの縦断面図を示し、このものは、ポスト本体（１）に、郵便物を取出す取出口（２）と、取出口（２）を塞ぐ開閉蓋（７）と、ポスト本体（１）内部を照らす照明器具（３）と、押しボタン式スイッチ（６）とを設けてなる。
【００３７】
ポスト本体（１）は縦断面形状が横長の略長方形のもので、片側の短辺には郵便物を差し込む受取口（２１）を設け、反対側の短辺には取出口（２）を設けてなる。内部の天面には照明器具（３）が配設され、取出口（２）上縁部に設けた押しボタン式スイッチ（６）と、電線で結ばれてなる。
【００３８】
図１１、１２、１３は押しボタン式スイッチ（６）を示す。図１２が正常な状態を示し、図１３は押しボタン式スイッチ（６）が完全に押し切られない異常な状態を示す。図１２で示す正常な状態においては、開閉蓋（７）が開いている際には押しボタン式スイッチ（６）の受圧部（５）に対して開閉蓋（７）は押圧を与えることがなく、これにより照明器具（３）は点灯状態となる。又、開閉蓋（７）が閉まっている際には、押しボタン式スイッチ（６）の受圧部（５）に対して開閉蓋（７）が充分な押圧を与え、これにより照明器具（３）は消灯状態となる。ところが、開閉蓋（７）の厚みが薄い場合とか、照明付ポストの種類が異なることで開閉蓋（７）の形状が異なる場合においては、図１３で示すような、押しボタン式スイッチ（６）が完全に押し切られない異常な状態が発生し、開閉蓋（７）を閉めても照明器具（３）が消灯しなくなってしまう。そこで、本実施の形態においては、図１１で示すように雌螺子（１０ａ）と雄螺子（１０ｂ）とで構成される螺合した螺子状体（１０）の端部に押しボタン式スイッチ（６）の受圧部（５）を配し、螺子状体（１０）の全長を調整することで開閉蓋（７）の内面部（８）と受圧部（５）との隙間を調整するようにした。即ち、螺子を緩めて全長を長くすることにより隙間を小さくし、その結果、押しボタン式スイッチ（６）が確実に押圧される適切な隙間を形成するようにするのである。
【００３９】
図１４、１５、１６は照明器具（３）と押しボタン式スイッチ（６）の詳細を示す。図１４で示すように、照明器具（３）は円形薄板状のもので円周面には配線の為のコネクタ（２２）を有し、裏面にはポスト本体（１）の天井面に着設する為のシート状の保持具（２３）を備えている。又、押しボタン式スイッチ（６）は角柱形をした本体部（４）と、本体部（４）の一面から突出する螺子状体（１０）と、螺子状体（１０）の先端に配された受圧部（５）とからなる。又、押しボタン式スイッチ（６）と照明器具（３）とは、２本の電線でつながれる。
【００４０】
図１６は螺子状体（１０）を詳しく図示したもので、本実施の形態の場合、雌螺子（１０ａ）を固定し、雄螺子（１０ｂ）を回してゆくことで螺子状体（１０）の全長を調整するようにしている。
【００４１】
図１７は、消灯状態と点灯状態での押しボタン式スイッチ（６）の状態を示している。図の上段に示すように、点灯状態においては押しボタン式スイッチ（６）は延びきっており、消灯状態においては沈み込んでいる。図の下段には螺子状体（１０）によって調整を施した際の状態が示されている。このように、雄螺子（１０ｂ）を緩めることで螺子状体（１０）の全長を調整している。
【００４２】
図１８、１９については、第１の実施の形態で説明した内容と同様の内容を示している。
【００４３】
又、図２０に示すように、押しボタン式スイッチ（６）を取出口（２）に突出させて、開閉蓋（７）の押圧で照明器具（３）の点灯状態と消灯状態を切り替えるようにしても良い。
【００４４】
【発明の効果】
上述の如く、請求項１記載の発明によれば、開閉蓋の内面部と押しボタン式スイッチの受圧部との間の隙間を簡単に調整することができる。
【００４５】
そして、請求項２記載の発明によれば、螺子を回し、螺子状体の全長を調節することで簡単に内面部と受圧部との隙間を調整することができる。
【００４６】
そして、請求項３記載の発明によれば、照明器具と押しボタン式スイッチが一体となっているので、配設の手間を大幅に削減することができる。
【００４７】
そして、請求項４記載の発明によれば、発光体からの光を光拡散レンズの拡散効果によって、ポスト本体内部に効率良く広範囲に照射でき、ポスト本体内部の郵便物の有無をより容易に確認させることができる。
【図面の簡単な説明】
【図１】本発明の第１の実施の形態である照明付ポストを示す概略斜視図である。
【図２】同照明付ポストのスイッチ付照明器具を示す斜視図である。
【図３】同照明付ポストのスイッチ付照明器具を示す斜視図である。
【図４】同照明付ポストのスイッチ付照明器具取付け位置を示す正面図である。
【図５】同照明付ポストのスイッチ付照明器具がポスト本体内部を照らす際の状態を示す平面図である。
【図６】同照明付ポストの発光体と光拡散レンズの一例を示す縦断面図である。
【図７】同照明付ポストの発光体と光拡散レンズの他の一例を示す横断面図である。
【図８】同照明付ポストの発光体と光拡散レンズの他の一例を示す斜視図である。
【図９】同照明付ポストの発光体と光拡散レンズの一例で図８に示したものの横断面図である。
【図１０】本発明の第２の実施の形態である照明付ポストを示す縦断面図である。
【図１１】同照明付ポストの押しボタン式スイッチを示す断面詳細図である。
【図１２】同照明付ポストの押しボタン式スイッチを示す断面詳細図である。
【図１３】同照明付ポストの押しボタン式スイッチを示す断面詳細図である。
【図１４】同照明付ポストの照明器具と押しボタン式スイッチを示す詳細図である。
【図１５】同照明付ポストの押しボタン式スイッチを示す詳細図である。
【図１６】同照明付ポストの隙間調整手段を示す詳細図である。
【図１７】同照明付ポストの隙間調整手段の調整状態を示す図である。
【図１８】本発明の第１の実施の形態である照明付ポスト、及び第２の実施の形態である照明付ポストの隙間調整手段を示す斜視図である。
【図１９】本発明の第１の実施の形態である照明付ポスト、及び第２の実施の形態である照明付ポストの隙間調整手段を示す斜視図である。
【図２０】同照明付ポストの他の例を示す縦断面図である。
【符号の説明】
１      ポスト本体
２      取出口
３      照明器具
４      本体部
５      受圧部
６      押しボタン式スイッチ
７      開閉蓋
８      内面部
９      隙間調整手段
１０    螺子状体
１０ａ  雌螺子
１０ｂ  雄螺子
１１    スイッチ付照明器具
１２    発光体
１３    光拡散レンズ
【図１】
0003846181.tif 000002
【図２】
0003846181.tif 000003
【図３】
0003846181.tif 000004
【図４】
0003846181.tif 000005
【図５】
0003846181.tif 000006
【図６】
0003846181.tif 000007
【図７】
0003846181.tif 000008
【図８】
0003846181.tif 000009
【図９】
0003846181.tif 000010
【図１０】
0003846181.tif 000011
【図１１】
0003846181.tif 000012
【図１２】
0003846181.tif 000013
【図１３】
0003846181.tif 000014
【図１４】
0003846181.tif 000015
【図１５】
0003846181.tif 000016
【図１６】
0003846181.tif 000017
【図１７】
0003846181.tif 000018
【図１８】
0003846181.tif 000019
【図１９】
0003846181.tif 000020
【図２０】
0003846181.tif 000021